(57)【要約】【課題】高輝度の光源を採用した場合であっても、光源の直上領域の意匠部の輝度を安価に下げることができる表示装置を提供する。【解決手段】表示装置としての車両用計器の文字板８（透過性板８４）の表面８４１には計器の意匠部（数字や目盛等）８５３を有した表面印刷層８５が形成されている。透過性板８４の裏面８４２には、透過性の白インクによる裏面下地印刷層８６と、遮光性の黒インクによる網点状の網点印刷層８７とがこの順で形成されている。意匠部８５３の直下領域８４３ａの周辺の周辺領域８４３ｂには、裏面下地印刷層８６が形成されておらず、網点印刷層８７２が透過性板８４の裏面８４２に直接形成されている。透過性板８４の内部を進行する光源からの光６１のパワーが網点印刷層８７２で弱められて、その弱められた光６２が意匠部８５３から出射されるので、意匠部８５３の輝度を下げることができる。【選択図】図４
2013124961.tif 000002
【特許請求の範囲】
【請求項１】
光源と、
前記光源の前に配置され、光を透過する透過性板の表面に、光を透過する意匠部を有するとともに前記意匠部以外の部分は遮光する表面層が形成され、前記透過性板の裏面にべた塗りの裏面下地層と網点状の網点層とが、前記透過性板の裏面から前記裏面下地層、前記網点層の順で形成され、前記裏面下地層は、光を透過するとともに前記意匠部から前記網点層が透けて見えるのを防ぐ層とされ、前記網点層は、前記透過性板の裏面における前記光源の直上領域に形成されて前記光源からの光を減光する層とされた文字板と、を備え、
前記光源からの光が前記文字板の裏面に入射し、その入射した光が前記透過性板の内部を通って前記意匠部から出射することで前記意匠部の照明を行う表示装置であって、
前記透過性板の裏面の前記直上領域の一部には、前記裏面下地層が形成されておらず又は網点状に形成され、前記網点層が前記透過性板の裏面に直接形成されていることを特徴とする表示装置。
【請求項２】
前記直上領域のうち前記意匠部の直下領域を第１領域、前記第１領域の周囲の領域を第２領域として、前記第２領域には前記裏面下地層が形成されておらず又は網点状に形成され、前記網点層が直接、前記透過性板の裏面に形成されていることを特徴とする請求項１に記載の表示装置。
【請求項３】
前記網点層は、前記光源に近くなるほど網率が大きくなるように形成されており、
前記第１領域は、前記直上領域のうち前記意匠部の直下領域で、かつ、前記網点層の網率が前記網点層の中で最大の最大網率領域であることを特徴とする請求項２に記載の表示装置。
【請求項４】
前記第１領域の幅は、前記第１領域の直上に位置する前記意匠部の外形幅よりも大きいことを特徴とする請求項２又は３に記載の表示装置。
【請求項５】
前記裏面下地層は、前記透過性板との界面における、前記透過性板の内部を進行する光の反射効率を上げる機能を有し、
前記第２領域には前記裏面下地層が網点状に形成されたことを特徴とする請求項２〜４のいずれか１項に記載の表示装置。
【発明の詳細な説明】
【技術分野】
【０００１】
本発明は、表示装置に関し、詳細には、光源からの光を受けて、文字板の表面に表示された意匠部の照明を行う表示装置に関する。
【背景技術】
【０００２】
従来、エンジン回転数や車速等を指針等で指示する車両用計器に関し、計器の意匠（目盛や数字等）の照明を行う車両用計器（表示装置）が知られている。この種の車両用計器は、計器の意匠部の印刷が表面に施された文字板と、その文字板の裏側に配置された光源とを備え、夜間等に光源を発光させてその光を文字板表面の意匠部から出射させることで、その意匠部を照明できるようになっている。光源からの光のパワーは、光源の直上領域には強く、光源から離れた領域には弱くなるので、このままでは、光源の直上領域の意匠部と光源から離れた領域の意匠部との間で照明時の輝度が不均一となってしまう。そこで、従来、文字板表面の意匠部の輝度を均一にする技術として、文字板の裏面の、光源の直上領域に、黒色インクで網点印刷を施す技術が提案されている（例えば、特許文献１〜３参照）。
【０００３】
ここで、図６は、裏面に網点印刷が施された従来の文字板の断面図を示している。なお、図６は、光源の直上領域における文字板の断面図を示している。図６の文字板９００は、ポリカーボネート板材等、光を透過する透過性板９１０の表面９１１に表面印刷層９２０が形成されている。その表面印刷層９２０は、透過性の白インクによる透過性白印刷層９２１と、目盛や数字等の意匠の形状に抜かれた意匠部９２３を有した遮光性の黒インクによる遮光性黒印刷層９２２とから構成されている。透過性板９１０の裏面９１２には、透過性の白インクによるべた塗りの透過性白印刷層（以下、裏面下地層と言う）９３０と、遮光性の黒インクによる網点状の網点印刷層（以下、網点層と言う）９４０とが、裏面下地層９３０、網点層９４０の順に形成されている。裏面下地層９３０は、文字板９００の意匠部９２３から網点層９４０が透けて見えるのを防止するためや、透過性板９１０と裏面下地層９３０の界面における、透過性板９１０の内部を進行する光９５０の反射効率を上げて、光源から離れた領域の意匠部の輝度を上げるなどのために設けられている。網点層９４０は、光源の直上になるほど（光源に近くなるほど）網率（網点とそれ以外の部分の面積比）が大きく、光源から離れるほど網率が小さく（又は網点層９４０無し）なるように形成されている。
【０００４】
図６の文字板９００を備えた車両用計器によれば、文字板９００の裏面の光源の直上領域では、網点層９４０によって、光源からの光の大半を遮ることができるので（減光できるので）、光源の直上領域の輝度を下げることができる。その結果、光源の直上領域の意匠部９２３と、光源から離れた領域の意匠部（図示外）との輝度（照明バランス）を均一にできる。
【先行技術文献】
【特許文献】
【０００５】
【特許文献１】特開平１１−１６０１１２号公報
【特許文献２】特開２０１０−４８５６２号公報
【特許文献３】特開２０１１−９９８２５号公報
【発明の概要】
【発明が解決しようとする課題】
【０００６】
ところで、意匠部の輝度を均一にするためには、光源の直上領域の意匠部に対しては光源のパワーは強くない方が好ましいが、光源から離れた領域の意匠部に対しては光源のパワーは強い方が好ましい。つまり、意匠部の位置に応じて相反する光源の特性が要求されている。その相反する特性を実現するために、従来では、光源から離れた領域の輝度が要求値（例えば１０ｃｄ／ｍ２）を満たすように、つまり光源から離れた領域の輝度を基準として光源のパワーを決定し、光源の直上領域に対しては上記の網点層の網率を調整することで輝度を要求値まで落としていた。
【０００７】
しかし、近年、光源の明るさが飛躍的に明るくなっており、網点層の網率を最大網率（９０％程度、それ以上の網率にしようとすると網点同士が繋がってしまい完全に光を遮断してしまう）にしたとしても、光源の直上領域の輝度を要求値まで落としきれないという問題点がある。その問題点を解決するために、網点層の上に重ねて、光を減光できる別の減光層を形成することが考えられるが、この場合には、その減光層を形成するための工程が追加されるので、コストアップを伴ってしまう。
【０００８】
また、光源の個数を増加して光源間の間隔を縮めることで、光源の直上領域の輝度と、光源から離れた領域（光源と光源の間の領域）の輝度の均一化を図りつつ、各領域の輝度が要求値を満たすように、光源のパワーを調整することが考えられる。しかし、この場合には、光源の個数が増加してしまうので、コストアップを伴ってしまう。
【０００９】
本発明は上記事情に鑑みてなされたものであり、高輝度の光源を採用した場合であっても、光源の直上領域の意匠部の輝度を安価に下げることができる表示装置を提供することを課題とする。
【課題を解決するための手段】
【００１０】
上記課題を解決するために、本発明の表示装置は、光源と、
前記光源の前に配置され、光を透過する透過性板の表面に、光を透過する意匠部を有するとともに前記意匠部以外の部分は遮光する表面層が形成され、前記透過性板の裏面にべた塗りの裏面下地層と網点状の網点層とが、前記透過性板の裏面から前記裏面下地層、前記網点層の順で形成され、前記裏面下地層は、光を透過するとともに前記意匠部から前記網点層が透けて見えるのを防ぐ層とされ、前記網点層は、前記透過性板の裏面における前記光源の直上領域に形成されて前記光源からの光を減光する層とされた文字板と、を備え、
前記光源からの光が前記文字板の裏面に入射し、その入射した光が前記透過性板の内部を通って前記意匠部から出射することで前記意匠部の照明を行う表示装置であって、
前記透過性板の裏面の前記直上領域の一部には、前記裏面下地層が形成されておらず又は網点状に形成され、前記網点層が前記透過性板の裏面に直接形成されていることを特徴とする。
【００１１】
本発明によれば、透過性板（文字板）の裏面のうち、網点層が形成された領域（光源の直上領域）の一部には、裏面下地層を介さないで網点層が直接透過性板の裏面に形成されているので、光源から透過性板の内部に入射した光が透過性板の表面、裏面間を反射しながら透過性板の内部を進行するときに、透過性板の裏面に直接形成された網点層でその光のパワーが弱められる（減光される）。そして、パワーが弱められたその光が、光源の直上領域の意匠部から出射することになるので、その意匠部の輝度を下げることができる。その意匠部の輝度を下げるために、別の減光層を形成する必要がなく（別の工程を追加する必要がなく）、光源を増加する必要がないので、安価にできる。また、裏面下地層の一部を変更しただけであるので、裏面下地層の役割（網点層が意匠部から透けて見えるのを防止するなど）が損なわれてしまうのを抑制できる。さらに、光源から離れた領域（光源の直上領域以外の領域）の構成は従来から変更する必要がないので、光源から離れた領域の意匠部の輝度が下がってしまうのを抑制できる。よって、光源の直上領域の意匠部と、光源から離れた領域の意匠部との間で輝度の均一化を図ることができる。
【００１２】
また、本発明において、前記直上領域のうち前記意匠部の直下領域を第１領域、前記第１領域の周囲の領域を第２領域として、前記第２領域には前記裏面下地層が形成されておらず又は網点状に形成され、前記網点層が直接、前記透過性板の裏面に形成されていることを特徴とする。
【００１３】
これによれば、意匠部の直下領域（第１領域）の周囲の第２領域に、網点層が透過性板の裏面に直接形成されているので、第１領域の上に位置する意匠部の輝度を効果的に下げることができる。また、意匠部の直下領域（第１領域）には、従来と同様に、裏面下地層を介して網点層が形成されているので、意匠部から網点層が透けて見えてしまうのを防止できる。
【００１４】
また、本発明において、前記網点層は、前記光源に近くなるほど網率が大きくなるように形成されており、前記第１領域は、前記直上領域のうち前記意匠部の直下領域で、かつ、前記網点層の網率が前記網点層の中で最大の最大網率領域であることを特徴とする。
【００１５】
これによれば、光源に近くなるほど網点層の網率が大きくなっているので、光源に近くなるほど減光の程度を大きくできる。このとき、第１領域は、網点層の網率が網点層の中で最大の最大網率領域でもあるので、その最大網率領域の上に位置する意匠部、つまり光源の直上に位置する意匠部の輝度を下げることができる。
【００１６】
また、本発明において、前記第１領域の幅は、前記第１領域の直上に位置する前記意匠部の外形幅よりも大きいことを特徴とする。これによれば、意匠部の外形幅より大きい第１領域で網点層を隠すことができるので、意匠部を真上から見たときに加えて、意匠部を斜めから見たときにも網点層が透けて見えてしまうのを防止できる。
【００１７】
また、本発明において、前記裏面下地層は、前記透過性板との界面における、前記透過性板の内部を進行する光の反射効率を上げる機能を有し、前記第２領域には前記裏面下地層が網点状に形成されたことを特徴とする。
【００１８】
これによれば、裏面下地層は、透過性板の内部を進行する光の、透過性板との界面における反射効率を上げる機能を有しているので、光源から離れた領域の意匠部にも光源からの光を効率良く伝達できる。つまり、光源から離れた領域の意匠部の輝度を上げることができる。また、透過性板の裏面の第２領域には、反射効率を上げる機能を有した裏面下地層が網点状に形成されているので、その第２領域における光の反射効率を、裏面下地層が無いときよりも上げることができる。その結果、第１領域の直上の意匠部の輝度を、第２領域に裏面下地層が無いときよりも上げることができる。つまり、第２領域に裏面下地層が無いときの意匠部の輝度と、第２領域にべた塗りの従来の裏面下地層が有るときの意匠部の輝度の中間の輝度にすることができる。
【図面の簡単な説明】
【００１９】
【図１】車両用計器１を正面から見たときの図である。
【図２】図１のＡ−Ａ線でスピードメータ２１を切ったときの断面図である。
【図３】文字板８の裏面８２を示した図である。
【図４】図２のＢ部の拡大図である。
【図５】変形例に係る図２のＢ部の拡大図である。
【図６】従来の文字板の断面図である。
【発明を実施するための形態】
【００２０】
以下、本発明に係る表示装置の実施形態を説明する。本実施形態では、指針式の車両用計器に本発明を適用した例を説明する。図１は、車両用計器１を正面から見たときの図を示している。車両用計器１は、車両の運転席前方のインストルメントパネルに設けられており、車速を指示するスピードメータやエンジン回転数を指示するタコメータなど、複数のメータが一体化されたコンビネーションメータとされている。なお、図１では、簡略化した車両用計器１を図示している。
【００２１】
車両用計器１は、複数のメータ（図１では１つのメータ２１のみ図示）が表示された表示面２を有している。その表示面２には、スピードメータの表示領域２１（以下、単にスピードメータ２１と言う）が含まれている。以下では、スピードメータ２１を例にとって車両用計器１の構成を説明する。スピードメータ２１は、円弧状のメータ枠２１１を有している。スピードメータ２１のメータ枠２１１に沿った領域８３には、車速を示す数字や目盛（図１では図示外）の印刷が施されている。スピードメータ２１の中央には指針５２が、指針５２の先端がメータ枠２１１に向く形で設けられている。その指針５２は、ステッパモータ５３（図２参照）によって、車両の現在の車速を示した目盛まで駆動される。
【００２２】
ここで、図２は、図１のＡ−Ａ線（後述するＬＥＤ４、指針５２を通る線）でスピードメータ２１を切ったときの断面図を示している。図１、図２を参照して、さらに詳細にスピードメータ２１の構成を説明する。図２に示すように、スピードメータ２１は、ケース３と、ケース３の前面に設けられた文字板８と、指針５２と、ケース３の背面に配置されて文字板８を照明するＬＥＤ４、９や指針５２を駆動するステッパモータ５３、スピードメータ２１の各部品（ステッパモータ５３やＬＥＤ４、９等）の動作を制御するマイコン（図示外）等が実装された回路基板５１とを備えている。ケース３は、スピードメータ２１の筐体となる部品であり、白色等明色の樹脂（ポリプロピレン樹脂（ＰＰ樹脂））等で形成されている。そのケース３は、文字板８の後側（図２の紙面方向の下側）に凹んだ凹部３３を有している。その凹部３３の底部３３１には複数の穴部３３２が形成されている。回路基板５１に実装されたＬＥＤ４、９はそれら穴部３３２に配置されている。
【００２３】
ＬＥＤ４は、文字板照明用のＬＥＤとされ、詳細には、文字板８の意匠（目盛、数字）が形成された領域８３（メータ枠２１１に沿った円弧状の領域８３（図３参照））を照明するＬＥＤとされる。ＬＥＤ４は、文字板８の照明領域８３を照明するために、照明領域８３の直下の位置にて、円弧状の照明領域８３に沿って間隔を空けて複数個配置されている。なお、各ＬＥＤ４は、文字板８から約１５ｍｍ〜２０ｍｍ離れた位置に配置されている。図１では、ＬＥＤ４を透視して図示しており、図１に示すように本実施形態では、３個のＬＥＤ４が略等間隔で配置されている。具体的には、３個のＬＥＤ４のうちの１つは円弧状の照明領域８３の右端部付近の裏側に配置され、他の１つは照明領域８３の左端部付近の裏側に配置され、残りの１つは照明領域８３の中間領域の裏側に配置されている。照明領域８３の右端部付近の裏側に配置されたＬＥＤ４は、文字板８の裏側からその右端部付近に向けて光を照射する。照明領域８３の左端部付近の裏側に配置されたＬＥＤ４は、文字板８の裏側からその左端部付近に向けて光を照射する。照明領域８３の中間領域の裏側に配置されたＬＥＤ４は、文字板８の裏側からその中間領域に向けて光を照射する。そして、それら３個のＬＥＤ４で照明領域８３の全部を照明している。
【００２４】
各ＬＥＤ４は互いに同じ特性のＬＥＤとされている。各ＬＥＤ４から照射される光のパワーは、ＬＥＤ４から離れた領域（照明領域８３の、ＬＥＤ４とＬＥＤ４の間の領域）の輝度を基準にして設定されている。具体的には、ＬＥＤ４から離れた領域の輝度が、所定の要求値（具体的には例えば１０ｃｄ／ｍ２）を満たすように、各ＬＥＤ４のパワーが設定されている。そして、ＬＥＤ４の直上領域に対しては、文字板８の裏面に遮光性の網点印刷を施すことで、輝度を要求値まで落としている（詳細は後述する）。
【００２５】
ＬＥＤ９は、指針照明用のＬＥＤとされ、文字板８の裏側の指針５２の直下に配置されている。なお、ＬＥＤ９の周囲には壁３２（ケース３の一部を構成する）が設けられており、ＬＥＤ９からの光が周囲（ＬＥＤ４が照明する照明領域８３）に漏れないようになっている。そのＬＥＤ９からの光が指針５２に入射することで、指針５２を照明できるようになっている。
【００２６】
なお、指針照明用のＬＥＤ９は、文字板照明用のＬＥＤ４と同じ色調の光を発光するＬＥＤであっても、異なる色調の光を発光するＬＥＤであっても良い。指針照明用のＬＥＤ９として、文字板照明用のＬＥＤ４と異なる色調の光を発光するＬＥＤを採用した場合、文字板８の照明領域８３と指針５２とを各々異なる色調で照明することができる。
【００２７】
文字板８は、その表面８１が車両用計器１の表示面２（図１参照）とされた板である。そのため、文字板８の表面８１には、車両用計器１を構成する各メータの意匠の印刷が施されている。また、文字板８の裏面８２には、文字板８の照明領域８３の輝度を均一にするための印刷などが施されている。ここで、図３は、文字板８の裏面８２を示している。なお、文字板８は車両用計器１を構成する各メータ間で共通の文字板とされており、図３では、その文字板８の裏面８２の全体を示している。図３に示すように、文字板８の裏面８２には、スピードメータ２１の照明領域８３の他に、他のメータ（例えば、タコメータや燃料計、水温計など）の照明領域７１（図３では、照明領域７１が２箇所ある）が含まれている。
【００２８】
文字板８の裏面８２（厳密には、後述する透過性板８４の裏面８４２）の照明領域８３には、透過性の白インクによるべた塗りの透過性白印刷層（以下、裏面下地印刷層と言う）８６と、遮光性の黒インクによる網点状の網点印刷層８７が、文字板８の裏面８２から裏面下地印刷層８６、網点印刷層８７の順に形成されている。なお、照明領域７１にも、裏面下地印刷層７２と網点印刷層７３がこの順で形成されている。網点印刷層８７は各ＬＥＤ４の直上領域８４３に形成されている。本実施形態では、図１の各ＬＥＤ４の位置に対応して、照明領域８３の３箇所の領域８４３に網点印刷層８７が形成されている。なお、図３に示すように、各領域８４３の間の領域には、白色の裏面下地印刷層８６が見えている。各網点印刷層８７は、ＬＥＤ４の直上に近づくほど網率が大きくなるように形成されている。なお、網率とは、着目する領域における網点が占める割合を示しており、具体的には、着目する領域における、黒色の面積（網点を構成する色）と白色の面積（裏面下地印刷層８６を構成する色）との比率を示している。本実施形態では、網点印刷層８７の最大網率が限界値の９０％程度に設定されている。なお、９０％を超える網率を設定しようとすると、各網点が繋がってしまい光を完全に遮光してしまう。
【００２９】
本発明は文字板８に特徴を有しており、以下では、この文字板８をさらに詳細に説明する。ここで、図４は、ＬＥＤ４の直上領域である図２のＢ部の拡大図を示している。なお、図４では、ＬＥＤ４の直上領域の中でも特に文字板８表面に施された意匠部８５３の周辺領域を示している。文字板８は、ポリカーボネート板材等、光を透過する透過性板８４の表面８４１及び裏面８４２に、スクリーン印刷等の印刷手法による印刷層を有した構造となっている。具体的には、透過性板８４の表面８４１には、透過性の白インクによる透過性白印刷層８５１（以下、表面下地印刷層と言う）と、遮光性の黒インクによる遮光性黒印刷層８５２とが、透過性板８４の表面８４１から表面下地印刷層８５１、遮光性黒印刷層８５２の順に形成されている。なお、表面下地印刷層８５１及び遮光性黒印刷層８５２で表面印刷層８５を構成している。また、透過性板８４の表面８４１及び表面印刷層８５で、図２の文字板８の表面８１を構成している。
【００３０】
表面下地印刷層８５１は、透過性板８４の表面８４１の照明領域８３（図２参照）の全領域に亘ってべた塗りされた層とされている。遮光性黒印刷層８５２は、スピードメータ２１（図１参照）の目盛や数字等の意匠の形状に抜かれた意匠部８５３を有している。その意匠部８５３から表面下地印刷層８５１が露出している。遮光性黒印刷層８５２の意匠部８５３以外の部分はべた塗りされている。それら表面下地印刷層８５１、遮光性黒印刷層８５２は、例えば溶剤系インクやＵＶ硬化インクをスクリーンメッシュを使って印刷する手法（スクリーン印刷）で形成されている。このとき、先ず表面下地印刷層８５１を印刷し、次に、遮光性黒印刷層８５２を表面下地印刷層８５１の上に重ね塗りすることで、表面下地印刷層８５１、遮光性黒印刷層８５２の順の表面印刷層８５を得ることができる。
【００３１】
透過性板８４の裏面８４２には、図３で説明した裏面下地印刷層８６と網点印刷層８７とが、透過性板８４の裏面８４２から裏面下地印刷層８６、網点印刷層８７の順に形成されている。なお、透過性板８４の裏面８４２、裏面下地印刷層８６及び網点印刷層８７で文字板８の裏面８２（図２参照）を構成している。裏面下地印刷層８６は、表面下地印刷層８５１と同じインクで形成されている。その裏面下地印刷層８６は、意匠部８５３から網点印刷層８７が透けて見えるのを防止するために設けられている。また、裏面下地印刷層８６は、ＬＥＤ４から透過性板８４の内部に入射した光が透過性板８４の内部を進行するときに透過性板８４との界面におけるその光の反射効率を上げて、ＬＥＤ４から離れた領域の意匠部の輝度を上げる機能も有している。さらに、裏面下地印刷層８６は、ＬＥＤ４から裏面下地印刷層８６に入射する光を拡散する機能も有している。なお、上記の表面下地印刷層８５１も、網点印刷層８７が透けて見えるのを防止する役割や、透過性板８４との界面における光の反射効率を上げる役割を担っている。
【００３２】
図４に示すように、裏面下地印刷層８６の一部が抜かれている。具体的には、網点印刷層８７が形成されている領域８４３（ＬＥＤ４の直上領域）のうち、意匠部８５３の直下領域８４３ａ周辺の周辺領域８４３ｂには、裏面下地印刷層８６が抜かれている（形成されていない）。なお、意匠部８５３の直下領域８４３ａは、網点印刷層８７の網率が最大の最大網率領域でもある（つまり、ＬＥＤ４の直上に意匠部８５３が位置している）。意匠部８５３の直下領域８４３ａには、裏面下地印刷層８６は抜かれていない（裏面下地印刷層８６２が形成されている）。周辺領域８４３ｂの外側の領域８４３ｃには裏面下地印刷層８６１が形成されている。
【００３３】
意匠部８５３の直下領域８４３ａの幅ｄ２（直下領域８４３ａに形成された裏面下地印刷層８６２の幅）は、意匠部８５３の外形幅ｄ１（例えば意匠部８５３が数字「２」の場合にはその数字「２」の幅）よりも大きく設定されている。詳細には、裏面下地印刷層８６２の幅ｄ２は、意匠部８５３を斜め４５度から見たとしても、網点印刷層８７が透けて見えない幅に設定されている。より詳細には、例えば、意匠部８５３の外形幅ｄ１が０．５ｍｍ、文字板８の厚さが０．５ｍｍ程度とすると、裏面下地印刷層８６２の幅ｄ２は、意匠部８５３の外形幅ｄ１より０．５ｍｍ程度大きく、つまり１ｍｍ程度に設定されている。
【００３４】
一方、裏面下地印刷層８６が抜かれた周辺領域８４３ｂの幅ｄ３は、意匠部８５３の輝度を要求値（例えば１０ｃｄｍ２）まで下げることができるように、ＬＥＤ４から照射される光のパワー、ＬＥＤ４と文字板８との距離、周辺領域８４３ｂに形成される網点印刷層８７２の網率等を考慮して、適宜に設定されている。
【００３５】
網点印刷層８７のうち意匠部８５３の直下領域８４３ａに形成された網点印刷層８７１は、従来と同様に、裏面下地印刷層８６２の上に形成されている。上記したように、直下領域８４３ａは、網点印刷層８７の網率が最大の最大網率領域とされているので、その領域８４３ａに形成された網点印刷層８７１の網率は最大網率（９０％程度の網率）に設定されている。他方、周辺領域８４３ｂに形成された網点印刷層８７２は、透過性板８４の裏面８４２に直接形成されている（裏面８４２に接触している）。その網点印刷層８７２の網率は、直下領域８４３ａの網点印刷層８７１の網率よりも小さく設定されている。具体的には、網点印刷層８７２の網率は、直下領域８４３ａに近づくほど大きくなっている。なお、網点印刷層８７の網率は、図６に示す従来の網点印刷層９４０の網率と同様に設定されている。
【００３６】
なお、図４では、周辺領域８４３ｂの外側の領域８４３ｃには、網点印刷層が形成されていないが、その領域８４３ｃに網点印刷層が形成されていたとしても良い。
【００３７】
これら裏面下地印刷層８６、網点印刷層８７は例えばスクリーン印刷によって形成される。このとき、先ず、透過性板８４の裏面８４２に、裏面下地印刷層８６を印刷する。この際、周辺領域８４３ｂに対応するスクリーンメッシュの部分にインクを遮断する部材を設けておく。これによって、周辺領域８４３ｂで、裏面下地印刷層８６を抜くことができる。次に、裏面下地印刷層８６の上から網点印刷層８７をスクリーン印刷する。このとき、直下領域８４３ａにおいては、裏面下地印刷層８６２の上に網点印刷層８７１が形成される一方で、周辺領域８４３ｂにおいては、透過性板８４の裏面８４２に直接網点印刷層８７２が形成される。つまり、同じ工程で、網点印刷層８７１と網点印刷層８７２とが形成される。
【００３８】
次に、スピードメータ２１の意匠を照明するときの作用を説明する。回路基板５１（図２参照）に実装されたマイコン（図示外）は、例えば車両のヘッドライトの点灯に連動させて、３個のＬＥＤ４の各々から光を照射させる。各ＬＥＤ４から照射された光は、文字板８の裏面８２（図２参照）に入射する。このとき、文字板８の裏面８２の、ＬＥＤ４の直上領域８４３（図３参照）に入射した光は、網点印刷層８７の網率に応じて減光される。文字板８に入射した光は、文字板８（透過性板８４）の内部を透過性板８４の表面８４１、裏面８４２で反射しながら進行して、文字板８表面に形成された意匠部から出射する。これによって、意匠部から出射された光のパワーに応じた輝度で、意匠部が照明される。このとき、図４に示すように、透過性板８４の内部を進行する光のうちの周辺領域８４３ｂに入射する光６１は、透過性板８４の裏面８４２に直接形成された網点印刷層８７２でそのパワーが弱められて、表面８４１側に反射される。その反射された光６２が、ＬＥＤ４直上の意匠部８５３から出射される。よって、網点印刷層８７２でパワーが弱められた分だけ、意匠部８５３の輝度を下げることができる。また、網点印刷層８７（直下領域８４３ａの網点印刷層８７１及び周辺領域８４３ｂの網点印刷層８７２を含む）は、裏面下地印刷層８６２の存在によって意匠部８５３から透けて見えないようになっている。
【００３９】
一方、文字板８の、ＬＥＤ４の直上領域８４３以外の領域は従来の文字板と同様の構造となっているので、文字板８に入射した光は、透過性板８４と下地印刷層８６、８５１の界面で、効率良く反射して、ＬＥＤ４から離れた領域（ＬＥＤ４とＬＥＤ４の間の領域）まで効率良く伝達される。よって、ＬＥＤ４から離れた領域の意匠部も明るく照明することができ、ＬＥＤ４の直上領域８４３の意匠部８５３の輝度と、ＬＥＤ４から離れた領域の意匠部の輝度とを均一にできる。
【００４０】
以上説明したように、本実施形態の文字板の構造は、従来の文字板の構造（図６参照）に比べて、文字板の裏面下地印刷層の一部を抜いた違いしかないので、高輝度のＬＥＤを採用した場合であっても、安価に、ＬＥＤの直上領域の意匠部の輝度を下げることができる。
【００４１】
（変形例）
なお、本発明は、上記実施形態に限定されるものではなく、特許請求の範囲の記載を逸脱しない限度で種々の変更が可能である。以下、本発明の変形例を説明する。ここで、図５は、変形例に係る図２のＢ部の拡大図を示している。なお、図５において、図４と変更が無い部分には同一符号を付している。図５の文字板８は、周辺領域８４３ｂに、網点状の裏面下地印刷層８６３が形成されている。なお、図５では、見やすくするために、裏面下地印刷層８６３にハッチングを付している。その裏面下地印刷層８６３の網率は、網点印刷層８７２の網率と逆の関係になっており、具体的には、意匠部８５３の直下領域８４３ａに近づくほど小さくなっている。また、周辺領域８４３ｂの、裏面下地印刷層８６３の網点が無い部分には、網点印刷層８７２が入り込んでいる（つまり、網点印刷層８７２が、透過性板８４の裏面８４２に接触している）。
【００４２】
網点状の裏面下地印刷層８６３は、他の領域の裏面下地印刷層８６１、８６２と同じ透過性の白インクによって形成されている。それら裏面下地印刷層８６１、８６２、８６３は、例えばスクリーン印刷によって同時に形成される。このとき、周辺領域８４３ｂに対応するスクリーンメッシュの部分を網点状にすることで、周辺領域８４３ｂに、網点状の裏面下地印刷層８６３を形成することができる。
【００４３】
網点印刷層８７２を含む網点印刷層８７は、上記実施形態と同様に、裏面下地印刷層８６の印刷後に、スクリーン印刷によって形成される。このとき、網点状の裏面下地印刷層８６３の隙間に、インクが入り込むことで、透過性板８４の裏面８４２に接触した網点印刷層８７２を形成することができる。また、裏面下地印刷層８６３の網率は意匠部８５３の直下領域８４３ａに近づくほど小さくなっているので、その裏面下地印刷層８６３の隙間に形成された網点印刷層８７２の網率を、直下領域８４３ａに近づくほど大きくできる。
【００４４】
図５の文字板８によれば、透過性板８４の内部を進行する光のうち周辺領域８４３ｂに入射する光６１は網点印刷層８７２で減光されるものの、透過性板８４との界面における反射効率を上げる裏面下地印刷層８６３が有ることによってその減光の程度が抑えられる。つまり、裏面下地印刷層８６３で反射した光６３のパワーは、図４の光６２のパワーよりも大きい。よって、裏面下地印刷層８６３が無いときよりも、意匠部８５３の輝度を上げることができる。周辺領域８４３ｂの裏面下地印刷層を完全に抜いてしまうと、意匠部８５３の輝度が下がりすぎてしまう場合に、図５の文字板８を採用すると好適である。
【００４５】
なお、上記実施形態において、ＬＥＤ４が本発明の「光源」に相当する。表面印刷層８５が本発明の「表面層」に相当する。裏面下地印刷層８６が本発明の「裏面下地層」に相当する。網点印刷層８７が本発明の「網点層」に相当する。直下領域８４３ａが本発明の「第１領域」に相当する。周辺領域８４３ｂが本発明の「第２領域」に相当する。
【符号の説明】
【００４６】
１  車両用計器
２１  スピードメータ
４  ＬＥＤ
８  文字板
８１  文字板の表面
８２  文字板の裏面
８４  透過性板
８４１  透過性板の表面
８４２  透過性板の裏面
８４３  ＬＥＤの直上領域
８４３ａ  意匠部の直下領域
８４３ｂ  周辺領域
８５  表面印刷層
８６、８６１、８６２、８６３  裏面下地印刷層
８７  ８７１、８７２  網点印刷層
【図１】
2013124961.tif 000003
【図２】
2013124961.tif 000004
【図４】
2013124961.tif 000005
【図５】
2013124961.tif 000006
【図６】
2013124961.tif 000007
【図３】
2013124961.tif 000008